(57)【要約】【課題】テレビジョン放送受信装置と接続された周辺機器において、簡単に初期設定を行うことができるテレビ周辺機器設定システムを提供する。【解決手段】テレビジョン放送受信装置１と周辺機器１０とからなり、テレビジョン放送受信装置１は、ユーザー入力を受けて設定情報を作成する手段３と、設定情報に基づいてテレビ設定を行う手段と、周辺機器を接続する手段８と、周辺機器識別手段と、周辺機器１０に対して設定情報を送信する手段と、を備え、周辺機器１０は、テレビジョン放送受信装置を接続する手段１１と、テレビジョン放送受信装置１から設定情報を受信する手段と、受信した設定情報に基づいて周辺機器設定を行う手段とを備える。テレビジョン放送受信装置１は、作成中の設定情報を表示する手段を備え、ＧＵＩによる設定を可能とする。【選択図】図１
2008263447.tif 000002
【特許請求の範囲】
【請求項１】
テレビジョン放送受信装置と周辺機器とからなり、
前記テレビジョン放送受信装置は、
ユーザー入力を受けて設定情報を作成する設定作成手段と、
前記設定情報に基づいてテレビジョン放送受信装置設定を行う設定手段と、
前記周辺機器を接続する接続手段と、
前記接続手段により接続された周辺機器を識別する識別手段と、
前記識別手段により識別された周辺機器に対して前記設定情報を送信する送信手段と、
を備え、前記周辺機器は、
前記テレビジョン放送受信装置と接続を行う接続手段と、
前記接続手段で接続されたテレビジョン放送受信装置から前記設定情報を受信する受信手段と、
受信した設定情報に基づいて周辺機器設定を行う設定手段と、
を備えることを特徴とするテレビ周辺機器設定システム。
【請求項２】
請求項１記載のテレビ周辺機器設定システムにおいて、
前記テレビジョン放送受信装置は、前記設定作成手段により作成中の設定情報を表示する表示手段を備えており、ＧＵＩによる設定を可能とすることを特徴とするテレビ周辺機器設定システム。
【請求項３】
テレビジョン放送受信装置と周辺機器とからなり、
前記テレビジョン放送受信装置は、
ユーザー入力を受けて第１の設定情報を作成する設定作成手段と、
前記第１の設定情報に基づいてテレビジョン放送受信装置設定を行う設定手段と、
前記周辺機器を接続する接続手段と、
前記接続手段により接続された周辺機器を識別する識別手段と、
前記識別手段により識別された周辺機器に対して設定要求を送信する送信手段と、
前記周辺機器から映像を受信する受信手段と、
前記受信手段により受信した映像を表示する表示手段と、
を備え、前記周辺機器は、
前記テレビジョン放送受信装置と接続を行う接続手段と、
前記接続手段で接続されたテレビジョン放送受信装置から設定要求を受信する受信手段と、
ユーザー入力を受けて第２の設定情報を作成する設定作成手段と、
前記設定作成手段により作成中の第２の設定情報を表示する映像を作成する映像作成手段と、
前記映像作成手段により作成された映像を前記テレビジョン放送受信装置へ送信する送信手段と、
前記第２の設定情報に基づいて周辺機器設定を行う設定手段と、
を備えており、ＧＵＩによる設定を可能とすることを特徴とするテレビ周辺機器設定システム。
【請求項４】
請求項３記載のテレビ周辺機器設定システムにおいて、
前記テレビジョン放送受信装置は、
ｄ）前記接続手段により接続された周辺機器に対して設定要求を送信したときに、入力を自動的に前記周辺機器からのものに切り換える切換手段を備えることを特徴とするテレビ周辺機器設定システム。
【請求項５】
請求項１〜４のいずれか１項に記載のテレビ周辺機器設定システムにおいて、
前記テレビジョン放送受信装置は、ユーザーが入力した操作情報を、接続された周辺機器に対して送信し、前記周辺機器は、接続されたテレビジョン放送受信装置からユーザーの入力した操作情報を受信することを特徴とするテレビ周辺機器設定システム。
【発明の詳細な説明】
【技術分野】
【０００１】
本発明は、テレビ周辺機器設定システムに関し、特にテレビジョン放送受信装置およびその周辺機器に関する。
【背景技術】
【０００２】
近年のテレビジョン放送受信装置においては、ユーザーの設置環境にあわせて様々な設定を行わなければ正しく動作しないことがあるため、一定の流れに沿って設定を行うユーザーインターフェースが用意されていることが多い。また、これはＤＶＤレコーダーやデジタルカメラのような周辺機器についても同様のことが言える。しかし、従来技術においては、これらの初期設定を機器ごとに行う必要性があり、ある機器の設定を忘れてしまうことがあった。また居住地域や郵便番号など、どの機器でも必ず同じ値を設定する項目に対しても何度も同じ設定を繰り返すことがあり、非常に不便であった。また、例えばデジタルカメラなど、機器によっては小さな画面とボタンで設定の入力を行う必要があり、非常に不便であった。
【０００３】
特許文献１には、周辺機器が接続されたときに自動的に周辺機器に対して設定を行う技術が記載されている。
【特許文献１】特開平１０−１７８６３１号公報
【発明の開示】
【発明が解決しようとする課題】
【０００４】
しかしながら、前記技術では、周辺機器に対してあらかじめ決められた設定を自動的に行うことが出来るだけであり、利用者毎に異なった設定をすることが困難であるという問題を有している。また、設定内容もあらかじめ定められているため、後から発売された機器に対しては設定が行えないという問題を有している。
【０００５】
本発明は、そのような状況に鑑みてなされたもので、テレビジョン放送受信装置と接続された周辺機器において、簡単に初期設定を行うことができるテレビ周辺機器設定システムを提供することを目的とする。
【課題を解決するための手段】
【０００６】
本発明は、こうした課題を解決するための手段を提供するもので、テレビジョン放送受信装置と周辺機器とからなり、前記テレビジョン放送受信装置は、ユーザー入力を受けて設定情報を作成する設定作成手段と、前記設定情報に基づいてテレビジョン放送受信装置設定を行う設定手段と、前記周辺機器を接続する接続手段と、前記接続手段により接続された周辺機器を識別する識別手段と、前記識別手段により識別された周辺機器に対して前記設定情報を送信する送信手段と、を備え、前記周辺機器は、前記テレビジョン放送受信装置と接続を行う接続手段と、前記接続手段で接続されたテレビジョン放送受信装置から前記設定情報を受信する受信手段と、受信した設定情報に基づいて周辺機器設定を行う設定手段と、を備えるテレビ周辺機器設定システムである。
【０００７】
また、本発明は、前記テレビジョン放送受信装置は、前記設定作成手段により作成中の設定情報を表示する表示手段を備えており、ＧＵＩによる設定を可能とするテレビ周辺機器設定システムである。
【０００８】
そして、本発明は、テレビジョン放送受信装置と周辺機器とからなり、前記テレビジョン放送受信装置は、ユーザー入力を受けて第１の設定情報を作成する設定作成手段と、前記第１の設定情報に基づいてテレビジョン放送受信装置設定を行う設定手段と、前記周辺機器を接続する接続手段と、前記接続手段により接続された周辺機器を識別する識別手段と、前記識別手段により識別された周辺機器に対して設定要求を送信する送信手段と、前記周辺機器から映像を受信する受信手段と、前記受信手段により受信した映像を表示する表示手段と、を備え、前記周辺機器は、前記テレビジョン放送受信装置と接続を行う接続手段と、前記接続手段で接続されたテレビジョン放送受信装置から設定要求を受信する受信手段と、ユーザー入力を受けて第２の設定情報を作成する設定作成手段と、前記設定作成手段により作成中の第２の設定情報を表示する映像を作成する映像作成手段と、前記映像作成手段により作成された映像を前記テレビジョン放送受信装置へ送信する送信手段と、前記第２の設定情報に基づいて周辺機器設定を行う設定手段と、を備えており、ＧＵＩによる設定を可能とするテレビ周辺機器設定システムである。
【０００９】
また、本発明は、前記テレビジョン放送受信装置は、前記接続手段により接続された周辺機器に対して設定要求を送信したときに、入力を自動的に前記周辺機器からのものに切り換える切換手段を備えるテレビ周辺機器設定システムである。
【００１０】
そして、本発明は、前記テレビジョン放送受信装置は、ユーザー入力の設定情報を、接続された周辺機器に対して送信し、前記周辺機器は、接続されたテレビジョン放送受信装置からユーザー入力の設定情報を受信するテレビ周辺機器設定システムである。
【発明の効果】
【００１１】
本発明により以下の効果がもたらされる。
テレビジョン放送受信装置と周辺機器の設定行為を簡単に行うことができ、非常に便利である。
【発明を実施するための最良の形態】
【００１２】
本発明を実施するための最良の形態を説明する。
本発明のテレビ周辺機器設定システムの実施形態について、図面を用いて説明する。
【実施例１】
【００１３】
実施例１を説明する。図１は、本発明のテレビ周辺機器設定システムの第１の実施形態における構成であり、テレビジョン放送受信装置１は、ユーザー入力受付部２、ユーザーインターフェース制御部３、画面生成部４、表示部５、設定保存部６、設定情報送信部７、接続部８から構成されている。周辺機器１０は、接続部１１、設定情報受信部１２、設定保存部１３から構成されている。
【００１４】
利用者がユーザー入力受付部２に対して設定の開始を指示すると、ユーザーインターフェース制御部３が画面生成部４に指示を行い、設定画面を生成させる。生成された設定画面を表示部５に表示する。利用者は表示部５に表示された画面を見ながらユーザー入力受付部２に対して指示を行い、テレビジョン放送受信装置１の設定を行う。設定された設定情報は設定保存部６に保存される。このようにして、ＧＵＩ（グラフィカル・ユーザー・インターフェース）によるテレビ画面を見ながらの操作で設定情報を作成することができる。
【００１５】
テレビジョン放送受信装置１の設定が行われたとき、接続部８は周辺機器が接続されているかどうかを判定する。周辺機器が接続されている場合、設定情報送信部７が設定保存部６から設定情報を読み出し、接続部８から送信する。
【００１６】
周辺機器１０では、接続部１１でテレビジョン放送受信機１より設定情報を受信する。設定情報受信部１２が接続部１１から受信した設定情報を読み出し、周辺機器１０の設定を行い、設定保存部１３に保存する。
【実施例２】
【００１７】
実施例２を説明する。図２は、本発明のテレビジョン放送受信装置および周辺機器の第２の実施形態における構成であり、テレビジョン放送受信装置１は、ユーザー入力受付部２、ユーザーインターフェース制御部３、画面生成部４、表示部５、設定保存部６、設定情報送信部７、接続部８から構成されている。周辺機器１０は、接続部１１、設定情報受信部１２、設定保存部１３、ユーザー入力受付部１４、ユーザーインターフェース制御部１５、画面生成部１６から構成されている。テレビジョン放送受信装置１と周辺機器１０は接続部８と接続部１１で接続されており、テレビジョン放送受信装置１の表示部５には周辺機器１０からの映像入力を表示することが出来る。
【００１８】
利用者がユーザー入力受付部２に対して設定の開始を指示すると、ユーザーインターフェース制御部３が画面生成部４に指示を行い、設定画面を生成させる。生成された設定画面を表示部５に表示する。利用者は表示部５に表示された画面を見ながらユーザー入力受付部２に対して指示を行い、テレビジョン放送受信装置１の設定を行う。設定された第１の設定情報は設定保存部６に保存される。
【００１９】
テレビジョン放送受信装置１の設定が行われたとき、接続部８は周辺機器が接続されているかどうかを判定する。周辺機器が接続されている場合、設定要求送信部７が設定要求を接続部８から送信する。また、表示部５は周辺機器１０から入力された映像を表示するモードに切り替わる。
【００２０】
周辺機器１０では、接続部１１でテレビジョン放送受信機１より設定要求を受信する。設定要求受信部１２が接続部１１から受信した設定要求を受信すると、ユーザーインターフェース制御部１５に対して設定の開始を指示する。ユーザーインターフェース制御部１５は画面生成部１６に指示を行い、設定画面を生成させる。生成された設定画面は接続部１１から出力され、テレビジョン放送受信装置１の接続部８に入力され、表示部５に表示される。利用者は表示部５に表示された画面を見ながらユーザー入力受付部１４に対して指示を行い、周辺機器１０の設定を行う。作成された第２の設定情報は設定保存部１３に保存される。本実施例では、異なる２つの機器の設定画面をあたかも１つの機器の設定画面であるかのように連続して表示することが可能になり、設定が容易になる。
【実施例３】
【００２１】
実施例３を説明する。図３は、本発明によるテレビジョン放送受信装置および周辺機器の第３の実施形態における構成であり、テレビジョン受信装置１はユーザー入力受付部２、ユーザーインターフェース制御部３、画面生成部４、表示部５、設定保存部６、設定情報送信部７、接続部８、ユーザー入力送信部９から構成されている。周辺機器１０は接続部１１、設定情報受信部１２、設定保存部１３、ユーザー入力受付部１４、ユーザーインターフェース制御部１５、画面生成部１６、ユーザー入力受信部１７から構成されている。テレビジョン放送受信装置１と周辺機器１０は接続部８と接続部１１で接続されており、テレビジョン放送受信装置１の表示部５には周辺機器１０からの映像入力を表示することが出来る。
【００２２】
利用者がユーザー入力受付部２に対して設定の開始を指示すると、ユーザーインターフェース制御部３が画面生成部４に指示を行い、設定画面を生成させる。生成された設定画面を表示部５に表示する。利用者は表示部５に表示された画面を見ながらユーザー入力受付部２に対して指示を行い、テレビジョン放送受信装置１の設定を行う。設定された第１の設定情報は設定保存部６に保存される。
【００２３】
テレビジョン放送受信装置１の設定が行われたとき、接続部８は周辺機器が接続されているかどうかを判定する。周辺機器１０が接続されている場合、設定要求送信部７が設定要求を接続部８から送信する。また、表示部５は周辺機器１０から入力された映像を表示するモードに切り替わる。
【００２４】
周辺機器１０では、接続部１１でテレビジョン放送受信機１より設定要求を受信する。設定要求受信部１２が接続部１１から受信した設定要求を受信すると、ユーザーインターフェース制御部１５に対して設定の開始を指示する。ユーザーインターフェース制御部１５は画面生成部１６に指示を行い、設定画面を生成させる。生成された設定画面は接続部１１から出力され、テレビジョン放送受信装置１の接続部８に入力され、表示部５に表示される。利用者は表示部５に表示された画面を見ながらテレビジョン放送受信装置１のユーザー入力受付部２に対して指示を行い、周辺機器１０の設定を行う。ユーザー入力はユーザー入力送信部９により接続部８から周辺機器１０へ送信される。周辺機器１０では接続部１１で受信されたユーザー入力はユーザー入力受信部１７に送られ、ユーザーインターフェース制御部１５に伝えられる。ユーザーインターフェース制御部１５はユーザー入力受信部１７から伝えられた入力をユーザー入力受信部１４から入力されたものと同様に扱い、ユーザーインターフェースを制御し、設定を行う。設定された設定情報は設定保存部１３に保存される。本発明の実施形態の１例では、異なる２つの機器の設定画面をあたかも１つの機器の設定画面であるかのように連続して表示した上で一つの機器に対してユーザー入力するだけで２つの機器に設定を行うことができ、あたかも２つの機器を一つであるかのように扱うことができ、非常に便利である。
【図面の簡単な説明】
【００２５】
【図１】本発明のテレビ周辺機器設定システムの第１の実施形態を示す機能ブロック図である。
【図２】本発明のテレビ周辺機器設定システムの第２の実施形態を示す機能ブロック図である。
【図３】本発明のテレビ周辺機器設定システムの第３の実施形態を示す機能ブロック図である。
【符号の説明】
【００２６】
１    テレビジョン放送受信装置
２    ユーザー入力受付部
３    ユーザーインターフェース制御部
４    画面生成部
５    表示部
６    設定保存部
７    設定情報送信部
８    接続部
９    ユーザー入力送信部
１０  周辺機器
１１  接続部
１２  設定情報受信部
１３  設定保存部
１４  ユーザー入力受付部
１５  ユーザーインターフェース制御部
１６  画面生成部
１７  ユーザー入力受信部
【図１】
2008263447.tif 000003
【図２】
2008263447.tif 000004
【図３】
2008263447.tif 000005